(57)【要約】【課題】  梅干しの種にはクエン酸、リンゴ酸等の有機酸、塩分が残っており産地では該種の焼却する場合、該種には酸分、塩分を含有するので、焼却或いは土に埋め戻す場合にもその処分の対応策に迫られている。そこで、この梅干しの種の内部に残留するクエン酸、リンゴ酸等の有機酸、塩分があること、且つ、梅干しの種は殻が非常に硬く、該種の表面に少し凹凸があることに着目して、梅干しの種を有効に再利用せんとするものである。【解決手段】  表面層（１）を絹生地、中間層（２）を水分透過性のスポンジ層、裏面層（３）を化学繊維や木綿生地からなる三層の生地を使用して袋体（４）に縫製し、その内部に複数の梅干しの種（５）を挿入して開口部を閉鎖し、水分を補給した該袋体（４）で、身体の清浄及び角質を除去する構成である。【選択図】  図２
0003104548.tif 000002
【実用新案登録請求の範囲】
【請求項１】
袋体（４）内部に複数の梅干しの種（５）を挿入し開口部を閉じて、水分を補給した袋体（４）で、身体の清浄及び角質を除去することを特徴とする化粧用具。
【請求項２】
表面層（１）を絹生地（１Ａ）、中間層（２）に水透過性を有するスポンジ層、裏面層（３）を化学繊維又は木綿生地からなる三層の生地で袋体（４）に縫製し、その内部に複数の梅干しの種（５）を挿入して開口部を閉じて水分を補給した該袋体（４）で、身体の清浄及び角質を除去することを特徴とする化粧用具。
【請求項３】
表面層（１）を極細繊維（１Ｂ）、中間層（２）に水透過性を有するスポンジ層、裏面層（３）を化学繊維や木綿生地からなる三層の生地で袋体（４）に縫製し、その内部に複数の梅干しの種（５）を挿入して開口部を閉じて水分を補給した該袋体（４）で、身体の清浄及び角質を除去することを特徴とする化粧用具。
【請求項４】
梅干しの種（５）を袋体（４）に２０個〜３０個を挿入して開口部を閉じて、該袋体（４）に水分を補給して指で押圧しながら、内部の梅干しの種（５）同士が摩擦し合って残留するクエン酸、リンゴ酸等の有機酸、塩分を滲み出させた袋体（４）で、身体の清浄及び角質を除去することを特徴とする請求項１、２又は３記載の化粧用具。
【考案の詳細な説明】
【技術分野】
【０００１】
塩漬した梅干しの梅の果肉を取り除いた梅干しの種の殻内部に残留しているクエン酸、リンゴ酸等の有機酸、塩分に水分を補給して袋体を指で押圧して袋体から徐々にクエン酸、リンゴ酸等の有機酸、塩分を滲み出させながらこの袋体で身体を清浄にしてマッサージ効果を与え、足裏、踵、肘、膝の角質部分を強く擦って角質を除去せんとする化粧用具に関するものである。
【背景技術】
【０００２】
本考案は、塩漬した梅干しの梅の果肉を除いた後の梅干しの種を有効に利用せんとするものである。
梅干しの種にはクエン酸、リンゴ酸等の有機酸、塩分が残っており産地では該種を焼却する場合、土に埋め戻す場合にも酸類、塩類が残っている為、その処分の対応策に迫られている。
そこで、この梅干しの種の内部に残留するクエン酸、リンゴ酸等の有機酸、塩分があること、且つ梅干しの種は殻が非常に硬く、該種の表面に少し凹凸があることに着目して、この梅干しの種を有効に再利用せんとするものである。
【０００３】
従来の足裏、踵、肘、膝の角質部分の角質を削るのに角質部分に軽石をあてがい磨いて削り落とすか或いはヤスリで削り落としているが、角質部分は凹凸部、曲面部が多く磨き難いので凹凸、曲面の角質部分につい強く力を入れて削り落しがちになり、軽石やヤスリで角質を削り落としすぎて後で該箇所が痛くなり困ることが多い。
又、体を洗いながらマッサージできる体の擦り具、身体を洗浄及びマッサージ用具として以下のものが開示されている。
【０００４】
【特許文献１】公開特許公報  特開２０００−１２６０７０  第２頁第１欄第２８行乃至第３７行参照。
【特許文献２】公開特許公報  特開２００２−１７６０６  第２頁第２欄第５行乃至第９行参照。
【考案の開示】
【考案が解決しようとする課題】
【０００５】
しかし、特許文献１に開示されている体擦り具は、多数の貫通穴を有するスポンジの背後に、貫通穴を有する多数の突起を有する樹脂成形体の突起の先端部を通常スポンジの貫通孔に没入させておき、スポンジの表面を体に沿わせた状態で軽く擦ると、従来のスポンジと同様に滑らかに体を洗うことが出来、樹脂成形体を背面から押圧するとスポンジが圧縮されスポンジの貫通孔から樹脂成形体の突起の先端部が突出して、スポンジの表面で体を洗いながら、樹脂成形体の突起の先端部でマッサージできる構成が記載されている。
しかし、この体擦り具はスポンジで滑らかに体を洗い、強く押えると樹脂成形体の突起の先端から突出するものであるが、これらの構成には角質部分の角質を除去する機能までは有しない。
また、特許文献２に開示されている身体の清浄及びマッサージ用具は、凸部を複数列とし、凸部の大きさを分けて適宜配設することにより、身体凹部ヘの密度を高めると同時に摺動、刺激性を高め、所謂垢すりを向上させることができる身体の清浄及びマッサージ用具を提供するものである。
しかし、この身体の清浄及びマッサージ用具は凸部の大きさを分けて配列して身体の凹部などの曲面に沿って密着、摺動、刺激を高め、垢すりを向上させるものであって、これらの構成には角質部分の角質を除去する機能を有しないものである。
【課題を解決するための手段】
【０００６】
本考案の請求項１に記載の考案では、袋体４の内部に複数の梅干し種５を挿入して開口部を縫製或いは紐で閉じて水分を補給した該袋体４で、身体の清浄及び角質部分の角質を除去することを特徴とする化粧用具。
【０００７】
本考案の請求項２に記載の考案では、表面層１を絹生地１Ａ、中間層２に水透過性を有するスポンジ層、裏面層３を化学繊維又は木綿生地からなる三層の生地で袋体４に縫製し、その内部に複数の梅干し種５を挿入して開口部を閉じて水分を補給した該袋体４で、身体の清浄及び角質を除去することを特徴とする化粧用具。
【０００８】
本考案の請求項３に記載の考案では、表面層１を極細繊維生地１Ｂ、中間層は水透過性を有するスポンジ層、裏面層３は化学繊維や木綿生地からなる三層の生地で袋体４に縫製し、その内部に複数の梅干し種５挿入して開口部を縫製或いは紐で閉じて水分を補給した該袋体４で、身体の清浄及び角質を除去することを特徴とする化粧用具。
【０００９】
本考案の請求項４に記載の考案では、請求項１、２又は３において、梅干しの種５を袋体４に２０個〜３０個を挿入して開口部を縫製或いは紐で閉じて、水分を補給した袋体４を指で押圧して梅干し種５同士が摩擦し合って残留するクエン酸、リンゴ酸等の有機酸、塩分を滲み出させた袋体４で身体の清浄及び角質を除去することを特徴とする化粧用具。
【考案の効果】
【００１０】
梅干しの種５にはクエン酸、リンゴ酸等の有機酸、塩分が残っているが、水分を補給することにより、袋体４内部の水透過性を有するスポンジ層が水分を吸収して梅干しの種５が膨張して梅干しの種５の周囲に水分を吸収して、この袋体４を指で押圧して内部に残留しているクエン酸、リンゴ酸等の有機酸、塩分が袋体４の表面に滲み出てくる。
このクエン酸、リンゴ酸等の有機酸、塩分で足裏、踵、肘、膝部分を塗擦して角質を剥離させ、老化して古くなった角質に浸透させて角質を浮き上がらせて剥離、除去する効果があり、乾燥して硬くなった皮膚を柔らかくする効果がある。
【００１１】
又、有機酸と一緒に滲み出てくる塩分は、毛穴を引き締め角質を柔軟にする効果を有するものである。
【００１２】
この袋体４で軽く身体を擦れば梅干しの種５の表面に形成されている硬い凹凸と摩擦に強い絹生地１Ａ又は極細繊維生地１Ｂ、中間層２のスポンジ層を介して裏面層３の生地からなる袋体４内で該種５でもみながら擦ることによりクエン酸、リンゴ酸等の有機酸と塩分を滲み出しながらソフトに皮膚を刺激して身体をマッサージしながら、汚れを除去する効果がある。
【００１３】
袋体４内部の梅干しの種５表面には凹凸が形成されており、この凹凸がソフトに身体の曲面、凹みにも良く沿い、体の微細な曲面部分、凹凸部分、角質部分にも接触させることが出来るので、この袋体４で擦れば体の汚れを落しながらマッサージ効果を与えながら、足裏、踵、肘、膝部分の角質を除去することができる。
【００１４】
この袋体４でゆるく身体を擦れば、梅干しの種５の表面が硬い凹凸の殻で覆われているが、これを表面層１が摩擦に強い絹生地、極細繊維、中間層２、裏面層３で形成した三層の袋体４に入れて水分を補給してもむと、スポンジ層に水分が含まれ硬い梅干し種の当りが柔らかくなり、袋体４の身体への当りを柔らかくしてクエン酸、リンゴ酸等の有機酸と塩分を滲み出させるからソフトに身体を刺激しながらマッサージすることができる。
【００１５】
それに加えて梅干しの種５が水分を吸収して内部のクエン酸、リンゴ酸等の有機酸と塩分が滲み出しこのクエン酸、リンゴ酸等の有機酸、塩分は殺菌効果があり、袋体４を直射日光に当てることによりカビが発生しにくい、そしてクエン酸、リンゴ酸等の有機酸、塩類が出なくなるまで反復して使用することができる。
【００１６】
梅干しの種５を袋体４に２０個〜３０個を挿入して、水分を与えて種同士が摩擦し合って残留するクエン酸、リンゴ酸等の有機酸、塩分を徐々に滲み出させるので有効成分の持続させる作用を有する。
【００１７】
この袋体４に洗剤などを塗布して使用すれば、一層滑らかに身体を洗浄することが出来る。
【考案を実施するための最良の形態】
【００１８】
図１は袋体の生地の構成を説明する一部拡大断面図であり、表面層１は絹生地１Ａ、中間層２は厚さ約３ｍｍ程度で、水透過性を有するウレタンスポンジ層、裏面層３は木綿生地からなる三層の生地を使用する。
図２は袋体の開口部を縫製した正面図で、袋体４の大きさは、縦１５ｃｍ、幅１０ｃｍ，厚さ２ｃｍで一端に開口部を有する袋体４に縫製し、該袋体４の開口部より約２０〜３０個程度の梅干しの種５を挿入し、該袋体４の開口部を縫製して閉じた構成である。尚、裏面層３は中間層２のスポンジを固定させる生地あれば不織布でもよくその材質は問わない。
図３は角質部分を除去する状態を示す使用状態説明図、図４は袋体を紐で閉じた状態の正面図である。
【００１９】
この袋体（４）に水分を補給して梅干しの種に残留するクエン酸、リンゴ酸等の有機酸、塩分を徐々に滲み出させて皮膚を刺激して身体をマッサージしながら、汚れを除去し、このクエン酸、リンゴ酸等の有機酸、塩分で足裏、踵、肘、膝部分を塗擦して角質を剥離させ、老化して古くなった角質に浸透させて角質を浮き上がらせて剥離、除去し、乾燥して硬くなった皮膚を柔らかくことが出来るもので、主に洗面所、浴室等で使用し、該袋体４に洗剤を塗布して使用すれば、更に滑らかに体を清浄し、角質を除去することができる。
【実施例】
【００２０】
実施例１は、表面層１を絹生地１Ａ、中間層２は水透過性を有するスポンジ層、裏面層３を化学繊維又は木綿生地の三層からなる生地を使用して、表面層１を表側に裏面層３を内側にして袋体４に縫製して、その内部に複数の個の梅干し種５を挿入して開口部を閉じ、水分を補給した袋体４で、身体の清浄及び角質を除去する構成である。
【００２１】
実施例２は、図２に示す如く表面層１を極細繊維生地１Ｂ、中間層２は水分の透過性を有するスポンジ層、裏面層３を化学繊維又は木綿生地からなる三層の生地を使用して、これを袋体４に縫製して、その内部に複数の梅干し種５を挿入して開口部を縫製或いは紐で閉じ水分を補給した袋体４で、身体の清浄及び角質を除去する構成である。
【００２２】
実施例３は図３に示す如く、表面層１を絹生地１Ａ又は極細繊維生地１Ｂの何れかで構成した生地、中間層２は水透過性を有するスポンジ層、裏面層３を化学繊維又は木綿生地からなる三層の生地を使用して袋体４に縫製し、梅干しの種５を袋体３に２０個〜３０個を挿入して開口部を閉鎖して、水分を与えた袋体４を指６で押圧して該種同士が摩擦し合って残留するクエン酸、リンゴ酸等の有機酸、塩分を徐々に滲み出させる構成である。
【図面の簡単な説明】
【００２３】
【図１】袋体の生地の構成を説明する一部拡大断面図である。
【図２】袋体の開口部を縫製した状態の正面図である。
【図３】角質分を除去する状態を示す使用状態説明図である。
【図４】袋体の開口部を紐で縛った状態の正面図である。
【符号の説明】
【００２４】
（１）    表面層
（１Ａ）  絹生地
（１Ｂ）  極細繊維
（２）    中間層
（３）    裏面層
（４）    袋体
（５）    梅干しの種
（６）    指
（７）    角質部分
【図１】
0003104548.tif 000003
【図２】
0003104548.tif 000004
【図３】
0003104548.tif 000005
【図４】
0003104548.tif 000006